(57)【要約】【課題】一対のフレーム部材を互いに組み合わせて溶接し、閉断面構造を構成する際に、溶接歪収縮を考慮した高精度の製品を提供する。【解決手段】対抗部２１に設けた見込み量２４によって、溶接歪による断面寸法の収縮が生じた後の、閉断面フレーム１５の寸法Ｈの精度を確保する。また、対抗部２１の見込み量２４の大小にかかわらず、溶接前の溶接歪が生じていない時点（図１の閉断面フレーム１５’）から、一対のフレーム部材１６、１７の溶接継手部１８、１９同士の必要なオーバーラップ量Ｗを得ることが可能となり、板隙の発生を防ぐことができる。よって、溶接継手部１８、１９の溶接作業を容易に行うことができる。【選択図】　　　図１
2004009109.tif 000002
【特許請求の範囲】
【請求項１】
互いに組み合わせることにより閉断面構造をなす一対のフレーム部材であって、溶接継手部と、当該溶接継手部の熱容量に影響を及ぼさない位置に設けた対向部とを備えたことを特徴とするフレーム部材。
【請求項２】
前記対向部は溶接歪収縮に相当する見込み量を考慮して設定され、前記溶接継手部は前記見込み量を考慮したオーバーラップ量を有することを特徴とする請求項１記載のフレーム部材。
【請求項３】
前記対向部は、閉断面内に設けられていることを特徴とする請求項１または２項記載のフレーム部材。
【請求項４】
前記対向部は、鋳造品の押出しピンを兼ねることを特徴とする請求項１から３のいずれか１項記載のフレーム部材。
【請求項５】
請求項１から４のいずれか１項記載のフレーム部材で構成されることを特徴とする閉断面フレーム。
【発明の詳細な説明】
【０００１】
【発明の属する技術分野】
本発明は、一対のフレーム部材を互いに組み合わせて溶接し、閉断面構造を構成するための技術に関するものである。
【０００２】
【従来の技術】
近年、軽量化と高剛性との両立を図るための自動車の車体構造として、図５に示すように、荷重を受け止める構造部位をアルミニウム製の骨格構造とし、骨格に板状プレス部品を張って車体とするアルミスペースフレームボディが用いられることが多くなっている。この、アルミスペースフレーム１のメンバー２を鋳造品で構成する場合、別々に鋳造された一対のフレーム部材３、４を互いに組み合わせることにより閉断面構造を形成する必要がある。そして、一対のフレーム部材３、４を溶接によって固定する場合には、溶接歪による断面寸法の収縮（本説明では「溶接歪収縮」ともいう。）を考慮することが、高精度のメンバー２を安定供給する上で必要不可欠となる。
【０００３】
図６、図７には、従来のメンバー２の構造例を示している。ここで、図６はメンバー２の立体模式図であり、図７（ａ）は図６のＡ−Ａ線における断面図であり、図７（ｂ）は図６のＢ−Ｂ線における断面図である。メンバー２を構成するフレーム部材３、４は、断面コ字状をなしており、開放端の一方が他方の外側に重なるようにして溶接継手部５、６を構成している。また、溶接継手部５、６には、溶接歪による収縮を考慮した隙間７を設けている。さらに、図６に破線で示すように、フレーム部材３、４の内側の複数の部位には、リブ８、９を設けている。そして、溶接継手部５、６に対し、メンバー２の外側からアーク溶接トーチ１０によって加熱を行い、溶接ビード１１を形成する。
【０００４】
【発明が解決しようとする課題】
ところで、上記従来のメンバー２の構造において、溶接歪によるメンバー２の断面寸法の収縮を補正するため、リブ９の隙間７へと回り込んだ部分９ａに、図８に示すような収縮量補正のための見込み量１２を予め肉付けした場合には、溶接前の状態で溶接継手部５、６の外側部分に見込み量１２の増加分だけ板隙１３を生じ、溶接が極めて困難となってしまうといった問題が発生する。
また、溶接歪によるメンバー２の断面寸法の収縮をリブ９により補正するためには、リブ９の寸法管理を正確に行うことが必要となり、通常のハイトゲージ１４（図４参照）を用いてリブ９の測定を容易に行うことが可能となるよう、図９に示すリブ９の幅Ｄを大きくする必要がある。しかしながら、リブ８、９を設けた部分は、リブ８、９の設置部以外の部分に比して溶接継手部５、６の熱容量が増大して、図９に矢印αで示す熱の逃げが、リブ８、９を設けた部分で特に顕著となる。その結果、連続したアーク溶接線を形成するためには、リブ８、９を設けた部分にのみ大きな熱量を与える必要があり、溶接品質の確保が困難となってしまう。このため、リブ９の幅Ｄは熱容量の増大を防ぐために小さく抑える必要があり、リブ９の寸法管理を容易に行うための、専用の計測冶具を用いることが必要となってしまう。
【０００５】
加えて、リブ９がフレーム部材４の鋳造後に、見込み量の変更等が必要となった場合、リブ９が溶接継手部６に直接設けられた構造上、溶接継手部６を損傷することなくリブ９のみ手作業で修正（見込み量修正）を加えることは困難となるといった課題もあった。
本発明は上記課題に鑑みてなされたものであり、その目的とするところは、一対のフレーム部材を互いに組み合わせて溶接し、閉断面構造を構成する際の、一対のフレーム部材の寸法管理と修正作業とを容易とし、かつ、高精度の閉断面フレームを提供することにある。
【０００６】
【課題を解決するための手段】
上記課題を解決するための、本発明の請求項１に係るフレーム部材は、互いに組み合わせることにより閉断面構造をなす一対のフレーム部材であって、溶接継手部と、当該溶接継手部の熱容量に影響を及ぼさない位置に設けた対向部とを備えたことを特徴とするものである。
本発明によれば、前記対向部は、前記溶接継手部の熱容量に影響を及ぼさない位置に設けられていることから、前記溶接継手部に連続したアーク溶接線を形成することが容易である。
【０００７】
また、本発明の請求項２に係るフレーム部材は、請求項１記載のフレーム部材において、前記対向部は溶接歪収縮に相当する見込み量を考慮して設定され、前記溶接継手部は前記見込み量を考慮したオーバーラップ量を有することとしたものである。
この構成によれば、前記対向部に設けた見込み量によって、溶接歪による断面寸法の収縮が生じた後の寸法精度が確保でき、前記対向部の見込み量の大小にかかわらず、溶接前の溶接歪が生じていない時点から、一対のフレーム部材の溶接継手部同士を十分にオーバーラップさせて、板隙の発生を防ぐことができる。
【０００８】
また、本発明の請求項３に係るフレーム部材は、請求項１または２項記載のフレーム部材において、前記対向部が、閉断面内に設けられているものである。
この構成により、前記対向部を設けることによる製品外観の変更を防ぐことができる。また、前記対向部の有無と無関係に、外部からの溶接継手部の溶接作業が可能となる。
【０００９】
また、本発明の請求項４に係るフレーム部材は、請求項１から３のいずれか１項記載のフレーム部材において、前記対向部は、鋳造品の押出しピンを兼ねるものである。
本発明によれば、前記対向部が、鋳造品であるフレーム部材に必須の構造物である押出しピンを兼ねることで、前記フレーム部材に前記対向部を設けることによる、製品形状の大幅な変更を避けることができる。
【００１０】
また、本発明の請求項５に係る閉断面フレームは、請求項１から４のいずれか１項記載のフレーム部材で構成されることを特徴とするものである。
そして、本発明によれば、溶接歪収縮を考慮した高精度の閉断面フレームを得ることができる。
【００１１】
【発明の実施の形態】
以下、本発明の実施の形態を添付図面に基づいて説明する。ここで、従来技術と同一部分及び相当する部分については同一符号で示し、詳しい説明は省略する。
【００１２】
図２には、本発明の実施の形態に係る閉断面フレーム１５を断面図示している。閉断面フレーム１５は、鋳造品である一対のフレーム部材１６、１７を互いに組み合わせることにより閉断面構造を構成したものである。また、フレーム部材１６、１７は、溶接継手部１８、１９と、溶接継手部１８、１９の熱容量に影響を及ぼさない位置に設けた対向部２０、２１とを備えている。フレーム部材１６、１７の対向部２０、２１は、フレーム部材１６、１７を互いに組み合わせた状態で、対向する位置に設けられている。なお、本発明の実施の形態では、対向部２０、２１は押出しピンを兼ね、複数ある押出しピンの中から、所望のピッチで選択された押出しピンを、対向部２０、２１として用いたものである。また、対向部２０、２１は、必要に応じてリブ２２、２３によりフレーム部材１６、１７の外壁に対し連結され、強度の補強がなされる。
【００１３】
図１には、溶接の前後における閉断面フレームの断面を並べて図示しており、図１の左側は溶接前の閉断面フレーム１５’を、図１の右側は溶接後の閉断面フレーム１５を表している。図１の左側の溶接前の閉断面フレーム１５’において、フレーム部材１７の対向部２１には溶接歪収縮に相当する見込み量２４を考慮した寸法設定がされている。しがたって、溶接前の閉断面フレーム１５’は、必要な製品寸法Ｈに対し、見込み量２４の分Δｈだけ全高が高くなっている。
また、フレーム部材１６、１７の溶接継手部１８、１９は、対向部２１の見込み量２４を考慮したオーバーラップ量Ｗを有するように、夫々の高さ寸法が設定されている。すなわち、見込み量２４の大小にかかわらず、必要なオーバーラップ量Ｗが得られるように、溶接継手部１８、１９の高さ寸法が決定されるものである。なお、見込み量２４は、フレーム部材１６の対向部２０に設けても良く、また、対向部２０、２１の双方に分散して設けても良い。
【００１４】
上記構成をなす本発明の実施の形態によれば、次のような作用効果を得ることができる。まず、対向部２１に設けた見込み量２４によって、溶接歪による断面寸法の収縮が生じた後の寸法Ｈの精度を確保することが可能である。また、対向部２０、２１を、溶接継手部１８、１９から離間させて設置することにより、溶接継手部１８、１９の熱容量に影響を及ぼすことがなくなり、溶接継手部１８、１９に、対向部２０、２１の存在による熱の逃げ量のばらつきを抑え、連続したアーク溶接線を形成することが容易である。
また、対向部２１の見込み量２４の大小にかかわらず、溶接前の溶接歪が生じていない時点（図１の閉断面フレーム１５’）から、一対のフレーム部材１６、１７の溶接継手部１８、１９同士の必要なオーバーラップ量Ｗを得ることが可能となり、板隙の発生を防ぐことができる。よって、溶接継手部１８、１９の溶接作業を容易に行うことができる。
【００１５】
また、対向部２０、２１が、鋳造品であるフレーム部材１６、１７に必須の構造物である押出しピンを兼ねることで、対向部２０、２１を設けることによる製品形状の大幅な変更を避けることができる。また、対向部２０、２１を設けることによる鋳造金型の形状変更も、最小限に抑えることが可能となる。
そして、対向部２０、２１が、閉断面フレーム１５の閉断面内に設けられていることから、対向部２０、２１を設けることによる製品外観の変更を防ぐことができる。また、対向部２０、２１の有無と無関係に、従来と同様、外部から溶接継手部１８、１９の溶接作業が可能となる。
【００１６】
また、本発明の実施の形態では、対向部２０、２１を溶接継手部１８、１９から離間させて設置することにより、図３に示すように、エアグラインダー２５等を用いた手作業による対向部２１の修正の際に、溶接継手部１９を損傷するおそれが少なくなり、修正作業を簡易に行うことが可能となる。
さらに、対向部２０、２１が溶接継手部１８、１９の熱容量に影響を及ぼさないことから、図４に示すように、対向部２０、２１の上面２０ａ、２１ａの面積を、一般的な計測装置（チェッキングフィクスチャー２６上にフレーム部材１６または１７を載置して、チェッキングフィクスチャー２７上にハイトゲージ１４（いわゆるダンチゲージ等）を載置して構成される。）の、測定子１４ａを確実に当接させて測定することが可能となるように、十分に広いものとすることができる。よって、本発明の実施の形態によれば、専用の計測冶具を用いる必要もなくなることとなり、個々のフレーム部材１６、１７の寸法精度についても、高精度に管理することが可能となる。
【００１７】
従って、本発明の実施の形態によれば、一対のフレーム部材１６、１７で閉断面フレーム１５を構成することにより、溶接歪収縮を考慮した高精度の閉断面フレームを得ることができる。
【００１８】
なお、本発明の実施の形態では、対向部２０、２１が、鋳造品であるフレーム部材１６、１７に必須の構造物である押出しピンを兼ねる構造としたことから、対向部２０、２１はフレーム部材１６、１７の幅方向の対称位置に設けられているが、例えば、中央部に一本の対向部を設ける場合や、さらに複数の対向部を設けることによっても、同様の作用効果を得ることができる。
また、本発明の実施の形態では、鋳造品である一対のフレーム部材１６、１７を互いに組み合わせることにより閉断面フレーム１５を形成する場合を例示して説明したが、コ字状断面をなす押出し成形品を組み合わせて互いに溶接し、閉断面フレームを構成する場合や、切削加工により得られた部材同士を組み合わせて互いに溶接し、閉断面構造を構成する場合であっても、上述の溶接歪収縮の問題が生じる場合には、本発明の実施の形態と同様の溶接継手部と、当該溶接継手部の熱容量に影響を及ぼさない位置に設けた対向部とを設けることで、同様の作用効果を得ることが可能である。さらに、一対のフレーム部材の材料も、アルミニウム、アルミニウム合金に限定されることなく、他の溶接歪収縮の大きな材料からなるフレーム部材にも適用することが可能である。
【００１９】
【発明の効果】
本発明はこのように構成したので、一対のフレーム部材を互いに組み合わせて溶接し、閉断面構造を構成する際の、一対のフレーム部材の寸法管理と修正作業とを容易とし、かつ、溶接歪収縮を考慮した高精度の閉断面フレームを提供することが可能となる。
【図面の簡単な説明】
【図１】本発明の実施の形態に係る閉断面フレームの、溶接の前後における断面を図示した説明図である。
【図２】本発明の実施の形態に係る閉断面フレームの断面図である。
【図３】本発明の実施の形態に係るフレーム部材に、手作業により修正を行う様子を示す模式図である。
【図４】本発明の実施の形態に係るフレーム部材の寸法測定を行う様子を示す模式図である。
【図５】アルミスペースフレームとそのメンバーを構成するフレーム部材とを示す斜視図である。
【図６】従来のメンバーの立体模式図である。
【図７】（ａ）は図６に示す従来のメンバーのＡ−Ａ線における断面図であり、（ｂ）は同Ｂ−Ｂ線における断面図である。
【図８】図６に示す従来のメンバーの問題点を示す説明図である。
【図９】図６に示す従来のメンバーの別の問題点を示す説明図である。
【符号の説明】
１０　アーク溶接トーチ
１１　溶接ビード
１５　閉断面フレーム
１６、１７　フレーム部材
１８、１９　溶接継手部
２０、２１　対向部
２４　見込み量
Ｈ　製品高さ
Ｗ　オーバーラップ量
【図１】
2004009109.tif 000003
【図２】
2004009109.tif 000004
【図３】
2004009109.tif 000005
【図４】
2004009109.tif 000006
【図５】
2004009109.tif 000007
【図６】
2004009109.tif 000008
【図７】
2004009109.tif 000009
【図８】
2004009109.tif 000010
【図９】
2004009109.tif 000011